(57)【特許請求の範囲】
【請求項１】
通信接続されたコンピュータから入力される音声信号に従った第１の音声出力を行うオーディオ装置において、
ユーザ操作による自装置に対する第２の音声出力の指示入力がなされたことを検出する検出手段と、
前記検出手段の検出に応じて、前記指示入力がなされた旨を通信接続された前記コンピュータに通知する通知手段と、
前記通知手段による通知に応答した認識信号を前記コンピュータから受け付ける認識信号受付手段と、
前記認識信号受付手段により認識信号が受け付けられた場合に、前記第２の音声出力の指示入力に応じた音声出力制御を行う音声出力制御手段と、
を備えることを特徴とするオーディオ装置。
【発明の詳細な説明】
【０００１】
【発明の属する技術分野】
本発明は、通信接続されたコンピュータから入力される音声信号に従った第１の音声出力を行うオーディオ装置に関する。
【０００２】
【従来の技術】
近年、パソコン等のコンピュータの普及に伴い、パソコンに接続可能なＵＳＢオーディオ対応のオーディオ装置が製品化されている。このＵＳＢオーディオ対応のオーディオ装置は、例えば、ＣＤ−ＲＯＭドライブを持たないパソコンにソフトをインストールする場合やサウンドカード等を有していないパソコンの音声出力を可能とする場合等に特に有効である。
【０００３】
図３を参照して、パソコン５０に接続可能なＵＳＢオーディオ対応のオーディオ装置３００の構成及び動作について説明する。
【０００４】
まず、従来のオーディオ装置３００の構成を説明する。
図３に示すように、オーディオ装置３００は、システムマイコン１、表示部２、操作部３、ＣＤ装置４、ＭＤ装置５、オーディオセレクタ６、ＵＳＢオーディオ回路７、ＵＳＢマイコン８、ＡＭＰ回路９、及びスピーカ１０により構成されている。
【０００５】
システムマイコン１は、ＣＰＵ（Central Processing Unit）、ＲＯＭ（Read Only Memory）、ＲＡＭ（Random Access Memory）により構成される。ＣＰＵは、ユーザによる操作部３からのキー操作に応じて、ＲＯＭに格納されている各種制御プログラムを読み出し、ＲＡＭ内のプログラム格納領域に展開し、該制御プログラムに従って各部に信号Ｓ１〜Ｓ６を出力し、各部の動作を集中制御する。また、ＣＰＵは、読み出した制御プログラムに従って各種処理を実行し、その処理結果をＲＡＭ内の所定の領域に一時的に格納したり、表示部２に表示させたりする。
【０００６】
表示部２は、ＬＣＤ（Liquid Crystal Display）等により構成され、システムマイコン１から入力される表示信号Ｓ４の指示に従って、表示画面上に、動作状況(例えば、現在再生されている音楽のトラック番号や進行時間、ディスクの全録音時間等の情報や動作モード等)の表示を行う。
【０００７】
操作部３は、ＥＪＥＣＴキー、ソース（ＣＤ／ＭＤ／ＵＳＢ）指定キー、再生キー、テンキー、ＳＫＩＰ ＵＰ／ＤＯＷＮキー、停止キー等の各種機能キーを備え、キー操作による操作信号Ｓ７をシステムマイコン１へ出力する。また、操作部３は、リモートコントロールによる操作信号Ｓ７をシステムマイコン１へ出力するようにしてもよい。
【０００８】
ＣＤ装置４は、システムマイコン１から入力される制御信号Ｓ２に基づいて、装填されたＣＤ（または、ＣＤ−Ｒ）に記録されている音楽信号やその他の記録情報（以後、ＣＤ信号と呼ぶ。）の再生に係る各種動作を行う。また、ＣＤ装置４において再生されたＣＤ信号は、信号ラインＬ１を介してオーディオセレクタ６に出力される。
【０００９】
ＭＤ装置５は、システムマイコン１から入力される制御信号Ｓ３に基づいて、装填されたＭＤに記録されている音楽信号やその他の記録情報（以後、ＭＤ信号と呼ぶ。）の再生に係る各種動作を行う。また、ＭＤ装置５において再生されたＭＤ信号は、信号ラインＬ２を介してオーディオセレクタ６に出力される。
【００１０】
オーディオセレクタ６は、オーディオ再生時に、システムマイコン１から入力される制御信号Ｓ１に応じて、ＣＤ装置４から信号ラインＬ１を介して入力されるＣＤ信号、ＭＤ装置５から信号ラインＬ２を介して入力されるＭＤ信号、ＵＳＢオーディオ回路７から信号ラインＬ５を介して入力されるＰＣ音声信号のうち、信号ラインＬ３を介してＡＭＰ回路９に出力する信号を選択する。
【００１１】
また、オーディオセレクタ６は、パソコン５０によるデータ読み取り時に、システムマイコン１から入力される制御信号Ｓ１に応じて、ＣＤ装置４から信号ラインＬ１を介して入力されるＣＤ信号、ＭＤ装置５から信号ラインＬ２を介して入力されるＭＤ信号のうち、ＵＳＢに対応するポジションＰ１から信号ラインＬ５を介してＵＳＢオーディオ回路７に出力する信号を選択する。
【００１２】
ＵＳＢオーディオ回路７は、Ｄ／Ａ変換器と、Ａ／Ｄ変換器とを備えている。Ｄ／Ａ変換器は、信号ラインＬ４を介して入力されたＰＣ音声信号をアナログ信号に変換し、信号ラインＬ５を介してオーディオセレクタ６に出力する。また、Ａ／Ｄ変換器は、信号ラインＬ５を介して入力されたＣＤ信号またはＭＤ信号をデジタル信号に変換し、信号ラインＬ４を介してＵＳＢマイコン８に出力する。
【００１３】
ＵＳＢマイコン８は、外部機器であるパソコン５０とＵＳＢ接続され、パソコン５０から入力されるオーディオ再生要求やデータ読み取り要求をシステムマイコン１に出力する。なお、オーディオ再生要求時には、オーディオ再生要求とともに、ＰＣ音声信号がパソコン５０から入力される。
【００１４】
また、ＵＳＢマイコン８は、ＰＣ音声信号の再生時に、システムマイコン１から入力される制御信号Ｓ６に応じて、パソコン５０から入力されたＰＣ音声信号を信号ラインＬ４を介してＵＳＢオーディオ回路７に出力する。
【００１５】
また、ＵＳＢマイコン８は、データの読み取り時に、信号ラインＬ４を介して入力されるＣＤ信号またはＭＤ信号をパソコン５０に出力する。
【００１６】
ＡＭＰ回路９は、信号ラインＬ３を介して入力された信号を、システムマイコン１から入力される制御信号Ｓ５に基づいて増幅し、信号ラインＬ６を介してスピーカ１０に出力し、スピーカ１０から音声や音楽を出力させる。
【００１７】
次に、従来のオーディオ装置３００の動作を説明する。
【００１８】
まずはじめに、オーディオ要求を受けた場合のオーディオ装置３００の動作について説明する。
システムマイコン１は、操作部３の備えるソース指定キー、及び再生キーによるキー操作により入力される操作信号Ｓ７（オーディオ再生要求）、或いは、ＵＳＢマイコン８から入力されるパソコン５０によるオーディオ再生要求に応じて、オーディオセレクタ６に制御信号Ｓ１を出力する。
【００１９】
このとき、再生するソースとして「ＣＤ」が選択されていれば、システムマイコン１は、ＣＤ装置４に制御信号Ｓ２を出力する。これにより、ＣＤ装置４は、ＣＤ信号をオーディオセレクタ６に出力する。
また、再生するソースとして「ＭＤ」が選択されていれば、システムマイコン１は、ＭＤ装置５に制御信号Ｓ３を出力する。これにより、ＭＤ装置５は、ＭＤ信号をオーディオセレクタ６に出力する。
また、再生するソースとして「ＵＳＢ」が選択されていれば、システムマイコン１は、ＵＳＢマイコン８に制御信号Ｓ６を出力する。これにより、ＵＳＢマイコン８は、パソコン５０から入力されたＰＣ音声信号をＵＳＢオーディオ回路７に出力する。そして、ＵＳＢオーディオ回路７は、ＰＣ音声信号をアナログ信号に変換してオーディオセレクタ６に出力する。
【００２０】
そして、オーディオセレクタ６は、システムマイコン１から入力された制御信号Ｓ１に基づいて、再生するソース（ＣＤ／ＭＤ／ＵＳＢ）に対応する信号（ＣＤ信号、ＭＤ信号、またはＰＣ音声信号）を選択し、ＡＭＰ回路９に出力する。また、ＡＭＰ回路９は、入力された信号を増幅してスピーカ１０に出力し、スピーカ１０から音声や音楽を出力させる。
【００２１】
次に、パソコン５０からのデータの読み取り要求を受けた場合のオーディオ装置３００の動作について説明する。
【００２２】
システムマイコン１は、ＵＳＢマイコン８からパソコン５０によるデータの読み取り要求が入力されると、オーディオセレクタ６に制御信号Ｓ１を出力するとともに、データを読み取るソース（ＣＤ／ＭＤ）に対応するＣＤ装置４（またはＭＤ装置５）に制御信号Ｓ２（または制御信号Ｓ３）を出力する。そして、ＣＤ装置４（またはＭＤ装置５）からＣＤ信号（またはＭＤ信号）がオーディオセレクタ６に出力される。
【００２３】
そして、オーディオセレクタ６は、システムマイコン１から入力された制御信号Ｓ１に基づいて、ＣＤ装置４（またはＭＤ装置５）から入力されたＣＤ信号（またはＭＤ信号）を選択し、ポジションＰ１からＵＳＢオーディオ回路７に出力する。次いで、ＵＳＢオーディオ回路７は、入力されたＣＤ信号（またはＭＤ信号）をデジタル信号に変換し、ＵＳＢマイコン８に出力する。そして、ＵＳＢマイコン８は、入力されたＣＤ信号（またはＭＤ信号）をパソコン５０に出力する。
【００２４】
以上のように、ＵＳＢオーディオ対応のオーディオ装置３００は、操作部３から入力される操作信号Ｓ７、或いはパソコン５０からのオーディオ再生要求に応じて、ＣＤ装置４から入力されるＣＤ信号、ＭＤ装置５から入力されるＭＤ信号、及びパソコン５０から入力されるＰＣ音声信号、の内の１つの信号をスピーカ１０へ出力し、スピーカ１０から音声や音楽を出力させる。
また、オーディオ装置３００は、パソコン５０からのデータ読み取り要求に応じて、ＣＤ装置４から入力されるＣＤ信号、またはＭＤ装置５から入力されるＭＤ信号をパソコン５０へ出力する。これにより、パソコン５０にて、ＣＤ信号またはＭＤ信号の読み取り等が行われる。
【００２５】
なお、上述のように、オーディオ装置３００（具体的には、ＵＳＢマイコン８）とパソコン５０とをＵＳＢ接続し、パソコン５０内のＰＣ音声信号を聞くためには、パソコン５０の起動前に、オーディオ装置３００を起動する必要がある。また、このとき、オーディオセレクタ６により「ＵＳＢ」を選択させる必要がある。
【００２６】
この場合は、パソコン用の連動タップ等を使用することにより、パソコン５０の起動に合わせてオーディオ装置３００を起動させることができる。しかしながら、パソコン５０が起動していない時には、オーディオ装置３００の機能が使用できないため、例えば、タイマー動作機能を使用することができなくなってしまう。
【００２７】
また、上述のように、オーディオ装置３００は、オーディオセレクタ６により選択した信号の出力先を択一的に選択していたため、例えば、パソコン５０から入力されるＰＣ音声信号をスピーカ１０から出力している間は、パソコン５０にＣＤ信号またはＭＤ信号を出力することができなかった。また同様に、パソコン５０にＣＤ信号またはＭＤ信号を出力している間は、パソコン５０から入力されるＰＣ音声信号をスピーカ１０から出力することはできなかった。つまり、オーディオ装置３００と、パソコン５０とを共用することができなかった。
【００２８】
【発明が解決しようとする課題】
本発明の課題は、パソコン等のコンピュータとの通信接続時の共用の問題を解決することにある。
【００２９】
【課題を解決するための手段】
上記課題を解決するため、請求項１記載の発明は、
通信接続されたコンピュータから入力される音声信号に従った第１の音声出力を行うオーディオ装置において、
ユーザ操作による自装置に対する第２の音声出力の指示入力がなされたことを検出する検出手段と、
前記検出手段の検出に応じて、前記指示入力がなされた旨を通信接続された前記コンピュータに通知する通知手段と、
前記通知手段による通知に応答した認識信号を前記コンピュータから受け付ける認識信号受付手段と、
前記認識信号受付手段により認識信号が受け付けられた場合に、前記第２の音声出力の指示入力に応じた音声出力制御を行う音声出力制御手段と、
を備えることを特徴としている。
【００３３】
【発明の実施の形態】
〔第１の実施の形態〕
以下、図１を参照して本発明を適用したオーディオ装置１００の第１の実施の形態を詳細に説明する。
【００３４】
まず、第１の実施の形態における構成を説明する。
図１は、本実施の形態におけるオーディオ装置１００の内部構成を示す図である。なお、第１の実施の形態のオーディオ装置１００の構成のうち、従来のオーディオ装置３００と同一部分の詳細説明を省略し、同一の構成要素は、同一の符号を付して以下説明する。
【００３５】
図１に示すように、オーディオ装置１００は、システムマイコン２１、表示部２、操作部３、ＣＤ装置４、ＭＤ装置５、ＵＳＢオーディオ回路７、ＵＳＢマイコン２８、ＡＭＰ回路９、スピーカ１０、オーディオセレクタ１１、及びＵＳＢセレクタ１２により構成されている。
【００３６】
システムマイコン２１は、ＣＰＵ、ＲＯＭ、ＲＡＭにより構成される。ＣＰＵは、ユーザによる操作部３からのキー操作に応じて、ＲＯＭに格納されている各種制御プログラムを読み出し、ＲＡＭ内のプログラム格納領域に展開し、該制御プログラムに従って各部に信号Ｓ１〜Ｓ６を出力し、各部の動作を集中制御する。また、ＣＰＵは、読み出した制御プログラムに従って各種処理を実行し、その処理結果をＲＡＭ内の所定の領域に一時的に格納したり、表示部２に表示させたりする。
【００３７】
また、システムマイコン２１は、ＵＳＢ接続されたパソコンと通信可能な状態となった場合に、ＵＳＢマイコン２８から入力される起動要求に応じて制御信号（図示省略）を生成し、自装置１００を起動（操作制御）する。すなわち、システムマイコン２１は、起動手段としての機能を有する。
【００３８】
オーディオセレクタ１１は、システムマイコン２１から入力される制御信号Ｓ１に応じて、ＣＤ装置４から信号ラインＬ１を介して入力されるＣＤ信号、ＭＤ装置５から信号ラインＬ２を介して入力されるＭＤ信号のうち、信号ラインＬ１１を介してＵＳＢセレクタ１２に出力する信号を選択する。
【００３９】
また、ＵＳＢセレクタ１２は、ＵＳＢマイコン２８から入力される制御信号Ｓ８に応じて、オーディオセレクタ１１から信号ラインＬ１１を介して入力される信号（ＣＤ信号、またはＭＤ信号）と、ＵＳＢオーディオ回路７から信号ラインＬ１２を介して入力されるＰＣ音声信号とのそれぞれの出力先を選択する。すなわち、ＵＳＢセレクタ１２は、選択手段としての機能を有する。
【００４０】
ＵＳＢマイコン２８は、ＵＳＢ接続されたパソコン５０から入力されるオーディオ再生要求やＣＤまたはＭＤに記録されたデータの読み取り要求をシステムマイコン２１に出力する。なお、オーディオ再生要求時や起動時には、オーディオ再生要求とともに、ＰＣ音声信号がパソコン５０から入力される。
【００４１】
また、ＵＳＢマイコン２８は、ＵＳＢ接続されたパソコン５０の状態を監視し、パソコン５０と通信可能な状態となった場合（つまり、パソコン５０の電源が投入された場合）に、システムマイコン２１に起動要求を出力する。
【００４２】
また、ＵＳＢマイコン２８は、オーディオ再生要求、データの読み取り要求、起動要求に対応して、システムマイコン２１から入力される制御信号Ｓ６に応じて、ＵＳＢセレクタ１２に制御信号Ｓ８を出力する。すなわち、ＵＳＢマイコン２８は、制御手段としての機能を有する。
【００４３】
次に、第１の実施の形態における動作を説明する。
【００４４】
まずはじめに、パソコン５０と通信可能な状態となった場合（つまり、パソコン５０の電源が投入された場合）のオーディオ装置１００の動作について説明する。
【００４５】
図１において、ＵＳＢマイコン２８は、ＵＳＢ接続されたパソコン５０の状態を監視し、パソコン５０と通信可能な状態となった場合に、システムマイコン２１に起動要求を出力する。
【００４６】
システムマイコン２１は、マイコン２８から入力される起動要求に応じて制御信号（図示省略）を生成し、自装置１００の起動を行う。そして、起動後に、システムマイコン２１は、ＵＳＢマイコン２８に制御信号Ｓ６を出力する。これにより、ＵＳＢマイコン２８は、パソコン５０から入力されたＰＣ音声信号をＵＳＢオーディオ回路７に出力する。そして、ＵＳＢオーディオ回路７は、入力されたＰＣ音声信号をアナログ信号に変換してＵＳＢセレクタ１２に出力する。
【００４７】
また、ＵＳＢマイコン２８は、ＵＳＢセレクタ１２に制御信号Ｓ８を出力し、ＵＳＢセレクタ１２に入力されるＰＣ音声信号をＡＭＰ回路９に出力させる。そして、ＡＭＰ回路９は、入力されたＰＣ音声信号をシステムマイコン１から入力される制御信号Ｓ５に基づいて増幅してスピーカ１０に出力し、スピーカ１０から音声や音楽を出力させる。
【００４８】
また、このとき、操作部３の備えるソース指定キー及び再生キーによるキー操作により、ＣＤ（またはＭＤ）の再生を指示する操作信号Ｓ７が入力されると、システムマイコン２１は、ＣＤ（またはＭＤ）の再生指示を認識する。そして、システムマイコン２１は、制御信号Ｓ１を生成して、オーディオセレクタ１１に出力するとともに、制御信号Ｓ２（または制御信号Ｓ３）を生成してＣＤ装置４（またはＭＤ装置５）に出力する。そして、ＣＤ装置４（またはＭＤ装置５）はＣＤ信号（またはＭＤ信号）をオーディオセレクタ１１に出力する。そして、オーディオセレクタ１１は、入力されたＣＤ信号（またはＭＤ信号）をＵＳＢセレクタ１２に出力する。また、このとき、ＵＳＢマイコン２８は、制御信号Ｓ８をＵＳＢセレクタ１２に出力する。
【００４９】
次いで、ＵＳＢセレクタ１２は、ＵＳＢマイコン２８から入力された制御信号Ｓ８に基づいて、オーディオセレクタ１１から入力されたＣＤ信号（またはＭＤ信号）をＵＳＢオーディオ回路７に出力する。そして、ＵＳＢオーディオ回路７は、入力されたＣＤ信号（またはＭＤ信号）をデジタル信号に変換してＵＳＢマイコン２８に出力する。そして、ＵＳＢマイコン２８は、入力されたＣＤ信号（またはＭＤ信号）をパソコン５０に出力する。また、パソコン５０において、ＣＤ信号（またはＭＤ信号）は、ＰＣ音声信号とＭＩＸされ、ＵＳＢマイコン２８に入力される。
【００５０】
なお、この場合は、ＣＤ信号（またはＭＤ信号）とＭＩＸされたＰＣ音声信号がスピーカ１０から出力されることとなる。また、ＣＤ（またはＭＤ）の再生でなく、ＣＤ（またはＭＤ）に記録されたデータ（ＣＤ信号またはＭＤ信号）の読み取り要求を受けた場合には、ＵＳＢマイコン２８からパソコン５０に入力されたＣＤ信号（またはＭＤ信号）は、ＰＣ音声信号とＭＩＸされずに読み取られる。
【００５１】
次に、ＵＳＢマイコン２８とパソコン５０とが通信可能な状態になっていない場合（つまり、パソコン５０の電源が投入されていない場合）について説明する。
【００５２】
このとき、システムマイコン２１は、操作部３から入力される操作信号Ｓ７（オーディオ再生要求）により、オーディオ再生要求を認識し、制御信号Ｓ１を生成してオーディオセレクタ１１に出力するとともに、制御信号Ｓ２（または制御信号Ｓ３）を生成してＣＤ装置４（またはＭＤ装置５）に出力する。そして、オーディオセレクタ１１は、ＣＤ装置４（またはＭＤ装置５）から入力されたＣＤ信号（またはＭＤ信号）をＵＳＢセレクタ１２に出力する。
【００５３】
また、システムマイコン２１は、ＵＳＢマイコン２８に制御信号Ｓ６を出力する。これに応じて、ＵＳＢマイコン２８は、ＵＳＢセレクタ１２に制御信号Ｓ８を出力する。そして、ＵＳＢセレクタ１２は、入力されたＣＤ信号またはＭＤ信号をＡＭＰ回路９に出力し、ＡＭＰ回路９によりＣＤ信号またはＭＤ信号を増幅して、スピーカ１０に出力し、スピーカ１０から音声や音楽を出力させる。
【００５４】
以上のように、第１の実施の形態において、オーディオ装置１００は、パソコン５０の電源投入に対応させて起動を行い、起動の際に、ＵＳＢセレクタ１２を制御することによりパソコン５０から入力されるＰＣ音声信号をスピーカ１０から出力させる。
また、このとき、操作部３によりＣＤまたはＭＤの再生が指示されると、ＵＳＢセレクタ１２は、オーディオセレクタ１１から入力されるＣＤ信号またはＭＤ信号をＵＳＢオーディオ回路７に出力してデジタル信号に変換し、ＵＳＢマイコン２８からパソコン５０に出力する。これにより、パソコン５０から入力されるＣＤ信号またはＭＤ信号とＭＩＸされたＰＣ音声信号をスピーカ１０から出力させる。
【００５５】
また、オーディオ装置１００は、パソコン５０の電源が投入されていないときに、操作部３からオーディオ再生要求があると、ＵＳＢマイコン２８により、ＵＳＢセレクタ１２に制御信号Ｓ８を出力し、ＵＳＢセレクタ１２により、ＣＤ信号またはＭＤ信号をＡＭＰ回路９に出力させる。そして、ＡＭＰ回路９によりＣＤ信号またはＭＤ信号を増幅し、スピーカ１０から出力させる。
【００５６】
したがって、オーディオ装置１００は、パソコン５０と通信可能な状態となった場合、つまり、パソコン５０の電源投入に対応させてオーディオ装置１００の起動を行うため、連動タップを使用したり、予めオーディオ装置１００の電源を投入しておいたりする必要がなくなり、オーディオ装置１００とパソコン５０とを簡単に共用できる。また、パソコン５０の電源が投入されていない場合には、通常のオーディオ装置として動作するため、タイマー動作機能等のオーディオ装置１００の機能が制限されずに使用できる。
また、起動時には、パソコン５０から入力されるＰＣ音声信号をスピーカ１０により外部音声出力させることとしたため、例えば、ユーザによる手動操作により、オーディオセレクタ１１の選択設定（例えば、セレクタの切り換え）等を変更するための煩雑な操作を行う必要がなくなり便利である。
また、オーディオ装置１００は、パソコン５０から入力されたＰＣ音声信号と、ＣＤ信号またはＭＤ信号とを同時にスピーカ１０から出力することができる。また、パソコン５０から入力されたＰＣ音声信号をスピーカ１０により外部音声出力している間に、ＣＤ信号またはＭＤ信号等の音楽信号をパソコン５０により読み取ることができる。つまり、オーディオ装置１００は、パソコン５０と共用することができる。
【００５７】
〔第２の実施の形態〕
以下、図を参照して本発明を適用したオーディオ装置２００の第２の実施の形態を詳細に説明する。
図２は、オーディオ装置２００の構成を示すブロック図である。なお、第１の実施の形態のオーディオ装置１００と同一部分の詳細説明を省略し、同一の構成要素は、同一の符号を付して以下説明する。
【００５８】
図２に示すように、オーディオ装置２００は、システムマイコン３１、表示部２、操作部３、ＣＤ装置４、ＭＤ装置５、ＵＳＢオーディオ回路７、ＵＳＢマイコン２８、ＡＭＰ回路９、スピーカ１０、オーディオセレクタ１１、及びＵＳＢセレクタ１２により構成されている。
【００５９】
システムマイコン３１は、オーディオ装置２００の各部に制御信号Ｓ１〜Ｓ６、Ｓ９を出力し、各部の動作を集中制御する。
【００６０】
また、システムマイコン３１は、パソコン５０とＵＳＢマイコン２８とが通信可能な状態となり、パソコン５０から入力されたＰＣ音声信号をスピーカ１０から出力している間に、操作部３からＣＤまたはＭＤの再生を指示する操作信号Ｓ７が入力されると、ＣＤまたはＭＤの再生指示を認識して制御信号Ｓ６を生成し、ＵＳＢマイコン２８に出力する。そして、ＵＳＢマイコン２８からパソコン５０にＣＤまたはＭＤの再生指示を受けた旨を通知させる。すなわち、操作部３は、入力手段としての機能を有し、ＵＳＢマイコン２８は通信制御手段及び通知手段としての機能を有する。
【００６１】
また、システムマイコン３１は、パソコン５０から通知に対する認識信号がＵＳＢマイコン２８を介して入力されると、この認識信号を受け付け、オーディオセレクタ１１に制御信号Ｓ１を出力するとともにＣＤ装置４またはＭＤ装置５に制御信号Ｓ２またはＳ３を出力する。また、このとき、システムマイコン３１は、ＵＳＢセレクタ１２に制御信号Ｓ９を出力し、オーディオセレクタ１１に入力されたＣＤ信号またはＭＤ信号のみ（つまり、ＰＣ音声信号を含まない信号）をＡＭＰ回路９に出力させる。すなわち、システムマイコン３１は、認識信号受付手段としての機能を有する。
【００６２】
以上のように、第２の実施の形態において、オーディオ装置２００は、パソコン５０から入力されたＰＣ音声信号をスピーカ１０から出力している間に、操作部３からＣＤまたはＭＤの再生の指示があると、パソコン５０に再生指示を受けた旨を通知する。そして、パソコン５０からこの通知に対する認識信号が入力された際に、ＣＤ装置４またはＭＤ装置５によりＣＤ信号またはＭＤ信号を出力させて、再生動作を開始させる。
【００６３】
したがって、パソコン５０から入力されているＰＣ音声信号をスピーカ１０から出力している間に、操作部３からＣＤまたはＭＤの再生の指示があれば、ＣＤまたはＭＤの再生のみを行うことができる。つまり、ＣＤまたはＭＤの再生を優先させることができる。また、操作部３からＣＤまたはＭＤの再生が指示された際に、この再生指示をパソコン５０に通知し、パソコン５０によりこの指示が認識されてから動作を開始するため、パソコン５０により認識されているオーディオ装置２００の動作と、実際の動作とが一致し、矛盾が生じない。このため、例えば、パソコン５０によってＣＤ−ＲＯＭのデータを読み取っている間にＣＤの再生が指示された場合には、パソコン５０から認識信号が入力されないこととし、表示部２に警告を表示することができる。
パソコン５０からの要求に応じてＣＤ信号またはＭＤ信号等の記録情報をパソコン５０へ出力するので、例えば、音声信号を外部音声出力させながらＣＤまたはＭＤに記録された情報（音楽信号またはその他の記録情報）をパソコン５０により読み取ることができる。つまり、オーディオ装置１００は、パソコン５０と共用することができる。
【００６４】
なお、本実施の形態では、オーディオセレクタ１１によりＣＤ信号またはＭＤ信号をＵＳＢセレクタ１２に出力することとしたが、これに限定されず、オーディオセレクタの構成を変更することにより、ＣＤ信号及びＭＤ信号をそれぞれＵＳＢセレクタ１２に出力することとしてもよい。これにより、例えば、ＣＤ−ＲＯＭのデータをパソコン５０で読み取りながら、ＭＤを再生することが可能となる。
【００６５】
また、本実施の形態では、操作部３により、ＣＤやＭＤの再生の指示がある場合に、ＵＳＢセレクタ１２の出力を切り換えることとしたが、これに限定されず、例えば、操作部３にソースダイレクト機能を設定するモード設定キーを更に備えることとし、このモード設定キーが指示された場合に、オーディオ装置２００の動作を優先させることとしてもよい。
【００６６】
また、本発明は、上記実施の形態の内容に限定されるものではなく、本発明の主旨を逸脱しない範囲で適宜変更可能である。
【００６７】
【発明の効果】
本発明によれば、自装置に対する第２の音声出力の指示入力がなされた際に、指示入力がなされた旨が通信接続されたコンピュータに通知され、この通知に応答した認識信号が当該コンピュータから受け付けられた場合に、第２の音声出力の指示入力に応じた音声出力が行われる。これにより、第１の音声出力を行っている間に第２の音声出力の指示入力がなされると、第２の音声出力を優先させることができると共に、コンピュータにより認識されているオーディオ装置の動作と、実際の動作とが一致し、矛盾が生じない。従って、パソコン等のコンピュータとの通信接続時の共用の問題が解決されるようになる。
【図面の簡単な説明】
【図１】オーディオ装置１００の構成を示すブロック図である。
【図２】オーディオ装置２００の構成を示すブロック図である。
【図３】オーディオ装置３００の構成を示すブロック図である。
【符号の説明】
１    システムマイコン
２    表示部
３    操作部
４    ＣＤ装置
５    ＭＤ装置
６    オーディオセレクタ
７    ＵＳＢオーディオ回路
８    ＵＳＢマイコン
９    ＡＭＰ回路
１０    スピーカ
１００    オーディオ装置
１１    オーディオセレクタ
１２    ＵＳＢセレクタ
２１    システムマイコン
２８    ＵＳＢマイコン
２００    オーディオ装置
３１    システムマイコン
３００    オーディオ装置
５０    パソコン
【図１】
0003789355.tif 000002
【図２】
0003789355.tif 000003
【図３】
0003789355.tif 000004